(57)【要約】    【課題】  ビールその他の発泡性飲料など、容器に注がれた際の上面被覆保護が美味しさ維持に有効であるような飲料を飲用する際に、飲料の美味しさ維持を長時間に亘り可能とする飲料容器上面被覆用具を提供すること。    【解決手段】  飲料容器上面被覆用具１０は、下端に開放端３が形成され上端が上底板２となっていて飲料容器Ｖ中に収容可能な筒体１と、上底板２に設けられた通気孔４と、筒体１に設けられた飲料容器Ｖ装着用の装着手段５とを備え、上底板２は本用具１０装着時に飲料容器Ｖ内壁との間に液体流通可能な隙間６が生じるような仕様に形成され、筒体１には本用具１０装着時に筒体１内外を連通せしめる連通構造（Ｆ）が形成されている構成である。本用具１０は飲料容器Ｖに装着して用いる。【選択図】  図１Ａ
2011072443.tif 000002
【特許請求の範囲】
【請求項１】
飲料容器に装着して用いる飲料容器上面被覆用具であって、
下端に開放端が形成され上端が上底板となっていて飲料容器中に収容可能な筒体と、
該上底板に設けられた一または複数の通気孔と、
該筒体に設けられた飲料容器装着用の装着手段とを備えてなり、
該上底板は本用具装着時に飲料容器内壁との間に液体流通可能な隙間が生じるような仕様に形成されており、
該筒体には本用具装着時に該筒体内外を連通せしめる連通構造が形成されている、
飲料容器上面被覆用具。
【請求項２】
前記連通構造は、前記筒体上の開口部であることを特徴とする、請求項１に記載の飲料容器上面被覆用具。
【請求項３】
前記連通構造は、開放端となっている前記筒体の下底全体であることを特徴とする、請求項１に記載の飲料容器上面被覆用具。
【請求項４】
前記上底板は飲料容器上端形状と相似形に形成されていることを特徴とする、請求項１ないし３のいずれかに記載の飲料容器上面被覆用具。
【請求項５】
前記装着手段は、前記上底板に設けられた一または複数の係止具であることを特徴とする、請求項１ないし４のいずれかに記載の飲料容器上面被覆用具。
【請求項６】
ビールその他の発泡性飲料用であることを特徴とする、請求項１ないし５のいずれかに記載の飲料容器上面被覆用具。
【請求項７】
請求項１ないし５のいずれかに記載の飲料容器上面被覆用具と、それを適用可能な飲料容器とからなる、飲料容器セット。
【請求項８】
ビールその他の発泡性飲料用であることを特徴とする、請求項７に記載の飲料容器セット。
【発明の詳細な説明】
【技術分野】
【０００１】
本発明は飲料容器上面被覆用具および飲料容器セットに係り、特にビールその他の発泡性飲料など、容器に注がれた際の上面被覆保護が美味しさ維持に有効であるような飲料を飲用する際に、かかる美味しさ維持を可能とする飲料容器上面被覆用具および飲料容器セットに関するものである。
【背景技術】
【０００２】
たとえばビアガーデンやパーティーその他の酒席においてビールが提供される場合には、大容量のジョッキやグラスでビールを飲むことが多い。
図１０は、従来のビール飲用状態を示す説明図である。図示するように、大きなサイズの器９Ｖには当然ながらビール９Ｌも大量に注がれ収容されているため、これ飲み干すまでには相応の時間がかかる。
【０００３】
サーバー等から器９Ｖにビール９Ｌを注ぎ入れる際には、その旨味と風味を保つために意図的に泡９Ｂを上部に注ぐのが通常である。つまり適切に形成された泡９Ｂの層がビール９Ｌの一時的な被覆手段となって、ビール９Ｌの香味を構成する重要な要素である炭酸の放散を防ぎ、いわゆる「気が抜ける」ことを一時的には防止する。
【０００４】
しかし、その泡９Ｂも時間の経過とともに空気に触れて消失していく。さらに、飲用するときにはまず上部の泡９Ｂか、または泡９Ｂを多く含んだビール９Ｌ部分が器９Ｖから出て行くために、それによっても泡９Ｂは相当早い段階で消失してしまう。そうするとビール９Ｌの被覆手段が喪失されてしまうことになるため、炭酸等９Ｐは抜けていってしまい、ビール９Ｌの美味しさは減少していく。
【０００５】
そのため従来は、ビール飲用における美味しさを重視する場合には、持続性の高い泡を形成するための注ぎ方を工夫するなどの手段が採られていた。また、そのような泡を形成しやすくするための用具の提案もなされている（特許文献１）。同文献開示技術は、有底の円筒の底に開口部を設け、内面に微小なサンドペーパー状突起を設けたビール及び発泡酒用具であり、この用具をコップに先に入れた状態でビール等を注げば、ビール等が微少な突起に当たることで泡が細分化し、きめ細かくクリーミーな消えにくい泡を形成できる、とするものである。
【先行技術文献】
【特許文献】
【０００６】
【特許文献１】特開２０００−６０７１０号公報「ビール及び発泡酒用具」
【発明の概要】
【発明が解決しようとする課題】
【０００７】
しかし、特許文献１開示技術を用いることで泡の保持時間をある程度延長させることはできても、飲用するごとに泡や泡を多く含んだビール等は先に消費され、消失していく。また上面は何ら保護されていないため、空気との接触により泡の消失が進むことは避けられない。結局、飲用が進むにしたがってクリーミーな泡も消失してしまう。その結果、ビールの気は抜けていってしまい、美味しさは減少してしまう。
【０００８】
そのことは、容器サイズが大きくなって飲用時間が長くなるほど、飲用中に亘る効果の持続は期待できなくなるため、顕著な問題となる。また同じく、諸事情により飲用者による飲用に時間を要するほど、飲用中に亘る効果の持続は期待できなくなるため、顕著な問題となる。たとえば、飲用に時間を掛ける、あるいは時間を掛けなくてはならない飲用者や、宴会等における乾杯時において容器に飲料を注がれたまま飲用開始に時間を要する場合、などである。
【０００９】
またビール飲用の際、特に飲用の初期においては、上面を覆う泡によって、飲用者の口の周りへの泡の付着が生じる（前出図１０参照）。かかる豪快なイメージのある飲用方法も、それが適さない場合や、回避したい場合がある。飲用後に口を拭う必要を生じずに、ビール飲用時の口元への泡付着発生を有効に防止できる方法があればよいが、特許文献１開示技術を始めとして、従来そのような考案は見受けられない。
【００１０】
そこで本発明が解決しようとする課題は、ビールその他の発泡性飲料など、容器に注がれた際の上面被覆保護が美味しさ維持に有効であるような飲料を飲用する際に、容易に気が抜けなくなるなど、当該飲料の美味しさ維持を長時間に亘り可能とする飲料容器上面被覆用具および飲料容器セットを提供することである。
【００１１】
また本発明の課題は、ピッチャーや大きなサイズのジョッキなど容量の大きい容器であっても、あるいは飲用に時間を要する飲用者による場合であっても、飲用開始から終了に亘る飲用期間全般に亘って、かかる美味しさ維持効果を有効に保持できる、飲料容器上面被覆用具および飲料容器セットを提供することである。
【００１２】
また本発明の課題は、上記各課題に加えて、飲用者の口の周りへの泡の付着発生防止も有効に行える、飲料容器上面被覆用具および飲料容器セットを提供することである。
【課題を解決するための手段】
【００１３】
本願発明者は上記課題について検討した結果、飲料容器状構造の開放端を下向きで用い、かつこれを飲料容器に装着可能な用具の構成によって解決できることに想到し、本発明に至った。すなわち、上記課題を解決するための手段として本願で特許請求される発明、もしくは少なくとも開示される発明は、以下の通りである。
【００１４】
（１）  飲料容器に装着して用いる飲料容器上面被覆用具であって、下端に開放端が形成され上端が上底板となっていて飲料容器中に収容可能な筒体と、該上底板に設けられた一または複数の通気孔と、該筒体に設けられた飲料容器装着用の装着手段とを備えてなり、該上底板は本用具装着時に飲料容器内壁との間に液体流通可能な隙間が生じるような仕様に形成されており、該筒体には本用具装着時に該筒体内外を連通せしめる連通構造が形成されている、飲料容器上面被覆用具。
（２）  前記連通構造は、前記筒体上の開口部であることを特徴とする、（１）に記載の飲料容器上面被覆用具。
（３）  前記連通構造は、開放端となっている前記筒体の下底全体であることを特徴とする、（１）に記載の飲料容器上面被覆用具。
（４）  前記上底板は飲料容器上端形状と相似形に形成されていることを特徴とする、（１）ないし（３）のいずれかに記載の飲料容器上面被覆用具。
【００１５】
（５）  前記装着手段は、前記上底板に設けられた一または複数の係止具であることを特徴とする、（１）ないし（４）のいずれかに記載の飲料容器上面被覆用具。
（６）  ビールその他の発泡性飲料用であることを特徴とする、（１）ないし（５）のいずれかに記載の飲料容器上面被覆用具。
（７）  （１）ないし（５）のいずれかに記載の飲料容器上面被覆用具と、それを適用可能な飲料容器とからなる、飲料容器セット。
（８）  ビールその他の発泡性飲料用であることを特徴とする、（７）に記載の飲料容器セット。
【発明の効果】
【００１６】
本発明の飲料容器上面被覆用具および飲料容器セットは上述のように構成されるため、これによれば、ビールその他の発泡性飲料など、容器に注がれた際の上面被覆保護が美味しさ維持に有効であるような飲料を飲用する際に、容易に気が抜けなくなるなど、当該飲料の美味しさを長時間に亘り保持することができる。
【００１７】
特にビールや、ビールのように注いだ際にある程度持続的な泡が形成される飲料の場合、本発明飲料容器上面被覆用具および飲料容器セットによれば、泡を、飲用期間全般に亘る保持も可能なほど長時間保持することができ、容易に気が抜けなくなり、飲料の美味しさを長時間に亘り保持することができる。特に本発明用具によれば、泡の上面を被覆保護するのみならず、飲用の際には容器下方にある液体の方から供用され、泡が形成されている上面（界面）付近の液体は後に残ることになり、したがって泡の層に対する撹乱が少なく、泡の保持が一層良好になされる。
【００１８】
また本発明の飲料容器上面被覆用具および飲料容器セットによれば、ピッチャーや大きなサイズのジョッキなど容量の大きい容器であっても、あるいは飲用に時間を要する飲用者による場合であっても、飲用開始から終了に亘る飲用期間全般に亘って、かかる美味しさ維持効果を有効に保持することができる。さらに、飲用者の口の周りへの泡の付着発生も、有効に防止することができる。
【００１９】
なお本発明は、容器に注がれた際の上面被覆保護が美味しさ維持に有効であるような飲料を飲用する際に便利な用具を提供することを本来的な課題としたものであるが、上述の各効果に加えて、上方からの異物混入防止効果も奏することができる。たとえば屋外・屋内イベント等においてサーバから汲まれたビール等の飲料、あるいはシェイク飲料等を利用する際、泡消失防止効果に加え、雨、虫、塵芥、その他の異物が上方から飲料容器内に落下あるいは混入することを防止する上蓋としての機能も、もちろん果たす。
【図面の簡単な説明】
【００２０】
【図１Ａ】本発明飲料容器上面被覆用具の基本構成を示す断面図である。
【図１Ｂ】図１Ａの平面（上面）図である。
【図２】飲料容器上面被覆用具実施例１の斜視図である。
【図３】図２に示す実施例１をビールジョッキに装着した状態の平面図である。
【図４】図２に示す実施例１をビールジョッキに装着した状態の側断面図である。
【図５】実施例１用具の使用状態としてある程度容器を傾けた状態を示す側断面図である。
【図６】実施例１用具の使用状態として水平に近く容器を傾けた状態を示す側断面図である。
【図７】実施例１用具を使用した飲用が完了した状態を示す側断面図である。
【図８】実施例２セットを構成する飲料容器および飲料容器上面被覆用具の構成を示す斜視図である。
【図９】実施例２セットの構成要素を合わせた状態を示す斜視図である。
【図１０】従来のビール飲用状態を示す説明図である。
【発明を実施するための形態】
【００２１】
以下、図面により本発明を詳細に説明する。
図１Ａは、本発明飲料容器上面被覆用具の基本構成を示す断面図である。また、
図１Ｂは、図１Ａの平面（上面）図である。これらに図示するように本発明飲料容器上面被覆用具１０は、飲料容器Ｖに装着して用いるものであって、下端に開放端３が形成され上端が上底板２となっていて飲料容器Ｖ中に収容可能な筒体１と、上底板２に設けられた一または複数の通気孔４と、筒体１に設けられた飲料容器Ｖ装着用の装着手段５とを備えてなり、上底板２は本用具１０装着時に飲料容器Ｖ内壁との間に液体流通可能な隙間６が生じるような仕様に形成されており、筒体１には本用具１０装着時に筒体１内外を連通せしめる連通構造が形成されていることを、主たる構成とする。
【００２２】
かかる構成を備える本飲料容器上面被覆用具１０は、次のように用いられる。まず、既に飲料の注がれた飲料容器Ｖ中に、筒体１の下端を下向きにして本用具１０全体が降下せしめられ、飲料容器Ｖ中に収容されていく。このとき、筒体１はその上端が上底板２による略閉塞構造ではあるものの、下端には開放端３が形成されているため、飲料容器Ｖ中の飲料液体をことさら排水することなく、すなわち飲料を飲料容器Ｖ外へことさら溢れ出させることなく、降下せしめられ、収容されていく。筒体１内部には飲料が収容された状態となる。
【００２３】
本飲料容器上面被覆用具１０が完全に飲料容器Ｖに収容された後、装着手段５により本用具１０は飲料容器Ｖに装着状態が固定される。これにより、装着手段５が機能している限り、飲料容器Ｖを傾けたりしても本用具１０は、外れたり浮き上がったりせず、飲料容器Ｖに固定された状態が維持される。
【００２４】
このように飲料容器Ｖに装着された状態において本用具１０は、筒体１の上端においては、上底板２と飲料容器Ｖ内壁との間には液体流通可能な隙間６が形成され、また下端においては、飲料容器Ｖ中において筒体１内外を連通せしめる連通構造が形成される（図中Ｆ：筒体内外の連通を示す）。
【００２５】
飲料容器Ｖ中の飲料を飲用する際は、上底板２と飲料容器Ｖ内壁との間に形成されている隙間６に口をつけて飲用する。隙間６は、かかる飲用方法が円滑に行われ特に不都合がない程度の適宜の間隔に形成できるような、本用具１０（特にその上底板２）の仕様とすればよい。
【００２６】
飲料容器Ｖ中の飲料を飲用するために飲料容器Ｖを傾けると、液体は飲料容器Ｖの下方（底部）から、隙間６の方向へと流通、誘導される。筒体１の下端に形成されている連通構造（Ｆ）により、筒体１内にある飲料も当然ながら隙間６の方向へと流通、誘導されるが、飲料液体は容器Ｖのより下方に位置するものから順に、隙間６方向へと移動する。したがって飲料がビール等の発泡性飲料であって上面に泡の層が形成されている場合は、当該泡の層近傍の液体が連通構造を通過するのは最後段となるため、泡の層が保持されやすい。
【００２７】
なお、上底板２に設けられた通気孔４を通して、外部から空気が導入されるため、隙間６を用いた飲用の際に、筒体１内部からの液体の移動は円滑になされる。
【００２８】
筒体１の開放端３は、連通構造として機能せしめることができる。図示するように、筒体１下底全体を開放端３とすることにより、本用具１０の構造を簡素化できる。また、本用具１０を飲料が収容された状態の飲料容器Ｖ中に収容する際も抵抗が少ないため、容易に行える。また、容器Ｖ中の飲料を、連通構造および隙間６を通して飲用者が円滑に飲用可能なように流通、誘導せしめることもできる。
【００２９】
連通構造は要するに、筒体１の内外において液体が自由に流通できる構造であればよいから、たとえば筒体１の側面や下底に設ける開口部であってもよい。しかし上述の通り、筒体１の下底全体を開放端３とすることで、本発明の目的に最も合致した連通構造の形態を成すことができる。
【００３０】
図示するように上底板２は、飲料容器Ｖの上端形状と相似形に形成するものとすることができる。図の場合は（図１Ｂ）、円形である。このように、上底板２と飲料容器Ｖ上端形状とを相互に相似の構成とし、装着手段５をしかるべき位置構成とすることによって、容器Ｖ上端における隙間６の幅を均等に形成することができ、飲用者が容器Ｖ上縁のどの位置に口をつけても、同様の飲みやすさで飲用することができる。
【００３１】
図示するように装着手段５は、上底板２に設けられた一または複数の係止具として構成することができる。装着手段５は要するに、本飲料容器上面被覆用具１０の飲料容器Ｖへの取り付け状態を安定的に固定できる限り、どのような構造・形態であってもよい。簡便にはたとえば、飲料容器Ｖの上縁に簡単に脱着できる程度の弾性を備えた舌片状の係止具構造として、構成することができる。
【００３２】
なお、本発明飲料容器上面被覆用具１０の材質は、アクリル樹脂、その他の合成樹脂、陶磁器、金属その他食器として使用可能なものであればいかなるものでもよい。また色彩も自由であるが、適用される飲料容器Ｖが透明である場合は、本用具も透明であれば、収容される飲料液体を視認し、視覚的に楽しむことの妨げにならない。
【００３３】
また、本用具１０では隙間６と連通構造（Ｆ）が不可欠の要素であるが、隙間６や筒体１の高さサイズ等は、適用される飲料容器Ｖの仕様により適宜設計すればよい。後述する実施例では、隙間を３ｍｍ程度、筒体の高さは適用される飲料容器の底部から１０ｍｍ程度、としているが、もちろんこれに限定されるものではない。
【００３４】
また、通気孔４は、図では上底板２の中央部に１個のみを設けた構成を示しているが、設ける位置、個数あるいは通気孔のサイズなども、特に限定されず自由に設計することができる。また、装着手段５の構造、形態あるいは設ける個数も、特に限定されず適宜の設計とすることができる。
【００３５】
なお、以上説明した飲料容器上面被覆用具と、それを適用可能な飲料容器とからなる飲料容器セットもまた、本発明の範囲内である。たとえば、従来から存在する紙製あるいはプラスチック製等の簡便な形態の飲料容器に、本発明飲料容器上面被覆用具を組み合わせたセットは、その一例である。
【実施例】
【００３６】
以下、本発明の実施例を説明するが、本発明がかかる実施例に限定されるものではない。
＜実施例１  ビール等発泡性飲料用の飲料容器上面被覆用具＞
ビールあるいはビール同等に泡層が形成される飲料の飲用時に、泡層を長時間、実際上は飲み終わるまで維持することの可能な、ビールジョッキ用の飲料容器上面被覆用具を製作した。
図２は、飲料容器上面被覆用具実施例１の斜視図である。また、
図３は、図２に示す実施例１をビールジョッキに装着した状態の平面図、
図４は、図２に示す実施例１をビールジョッキに装着した状態の側断面図である。
【００３７】
これらに図示する飲料容器上面被覆用具実施例１（以下、「実施例１用具」という。）２１０の構造を説明する。
透明アクリル樹脂製の片側有底円筒２１の底部（上底板）２２に装着手段として３個の脱着用爪２５を等間隔で設け、かつ上底板２２の中央に径５ｍｍ程度の通気孔２４を設け、下底部は開放端２３となっている形態の用具を製作し、これを実施例１用具２１０とした。脱着用爪２５はフック形状である。
【００３８】
なお実施例１用具２１０では、上底板２２を、装着対象のビールジョッキ２Ｖの内直径より６ｍｍ程度小さい直径とした。つまり、ビールジョッキ２Ｖと実施例１用具２１０との間の隙間２６は、３ｍｍ程度であり、この隙間２６からのみ、ビールＬは流出することができる。また通気孔２４は、直径約３ｍｍの円形とした。また円筒２１の高さは、本用具２１０を装着完了したときに下底部（開放端２３）がビールジョッキ２Ｖの底から１０ｍｍ程度の位置となるように、構成した。
【００３９】
図４に示すように、実施例１用具２１０は、ビールＬが注がれて上層に泡Ｂの層が形成された状態のビールジョッキ２Ｖ中に降下、収容される。実施例１用具２１０が収容された状態で隙間２６が形成され、かつ開放端２３による連通構造も形成されており、泡Ｂは本用具２１０の上底板２２により被覆された状態である。また被覆完了後、脱着用爪２５がビールジョッキ２Ｖの上縁に掛けられることにより、本用具２１０はビールジョッキ２Ｖに固定される。
【００４０】
図５は、実施例１用具の使用状態としてある程度容器を傾けた状態を示す側断面図である。従来ジョッキでビールを飲用する場合、ジョッキを傾けると泡かもしくは泡の多い上部のビールが先に口に入ることになる。しかし、図示するように本用具２１０をジョッキ２Ｖに装着することにより、ビールＬは、常に底部のものから先に流れ出ることとなり、飲用者は常に泡のない（あるいは、少ない）一番底の方から汲み上がり誘導されたビールＬだけを飲むことができる。なお、泡Ｂは、本用具２１０の内部上方に封じ込められた状態で保持される。
【００４１】
図６は、実施例１用具の使用状態として水平に近く容器を傾けた状態を示す側断面図である。このようにビールＬの残量が少なくなるまでも、飲用時におけるビールＬの一番底の方からの誘導は、毎回繰り返される。つまり、ビールＬがどんなに少なくなっても、それは常に泡Ｂの下部に位置するため、飲用時にはビールＬが先に隙間２６を通って出てくる。
【００４２】
しかも、小さな通気孔２４が設けられただけの蓋（上底板２２）によって被覆されている状態であるため、泡Ｂは空気に触れることも少なく、消えずに残るため、ビールの旨味も風味も、飲用の最後まで保持することができる。従来は、ビールを飲み終わる頃には泡も消え、気も抜けてしまうのが通常であったが、本用具２１０を用いることによって、最後まで美味しく飲むことができる。
【００４３】
図７は、実施例１用具を使用した飲用が完了した状態を示す側断面図である。図示するように、泡Ｂは空気に触れないために最後まで消えず、ビールを飲み終わった後も、本用具２１０内に残った状態となる。このように泡Ｂは、飲用期間全般に亘って本用具２１０内に封じ込められた状態であって、隙間２６を通して外部に流出することがないため、飲用者がたとえ無造作に飲んだとしても、口の周りに泡がつくことはない。なお本用具２１０は脱着可能であるため、洗浄して繰り返し使用できることはいうまでもない。
【００４４】
＜実施例２  簡易飲料容器セット＞
飲料容器とそれに適合する飲料容器上面被覆用具とからなる飲料容器セットとして、屋内外のイベント等にも便利な簡易飲料容器セットを製作した（以下、「実施例２セット」という）。
図８は、実施例２セットを構成する飲料容器および飲料容器上面被覆用具の構成を示す斜視図、また、
図９は、実施例２セットの構成要素を合わせた状態を示す斜視図である。
【００４５】
実施例２セットを構成する飲料容器上面被覆用具５１０および飲料容器５Ｖの材料としてはいずれも、ＰＥＴ樹脂を用いた。前者の装着手段５５としては、フック形状のものを４個設けた。また通気孔５４は、上底板５２の中央部に１個のみ設けた。また、飲料容器５Ｖに装着した際に形成される隙間は約３ｍｍとなるよう、さらに下底部（開放端５３）と飲料容器５Ｖ底部との距離は約１０ｍｍとなるように形成した。
【００４６】
飲料容器５Ｖにビールを注ぎ、その後飲料容器上面被覆用具５１０をこれに装着して図９に示すような状態とし、実際に隙間からビールを飲用したところ、泡は最後までビールの上部を被覆する層として残り、常に泡のないビールのみを隙間から円滑に飲用して、飲み干すことができた。飲用中において、口の周りに泡が付着することは、もちろんなかった。
【産業上の利用可能性】
【００４７】
本発明の飲料容器上面被覆用具および飲料容器セットによれば、ビールその他の発泡性飲料など、容器に注がれた際の上面被覆保護が美味しさ維持に有効であるような飲料を飲用する際に、飲料の美味しさを長時間に亘り保持することができる。食品関連作業分野に亘って広く利用することができ、産業上利用性が高い発明である。
【符号の説明】
【００４８】
１…筒体
２…上底板
３…開放端
４…通気孔
５…装着手段
６…隙間
１０…飲料容器上面被覆用具
Ｆ…筒体内外の連通
Ｖ…飲料容器
【００４９】
２１０…実施例１用具
２１…円筒、  ２２…上底板、  ２３…下底部（開放端）、  ２４…通気孔、  ２５…脱着用爪、  ２６…隙間、  
Ｂ…泡、  Ｌ…ビール
２Ｖ…ビールジョッキ、    ２Ｖｈ…ビールジョッキ取っ手
５１０…飲料容器上面被覆用具
５１…筒体、  ５２…上底板、  ５３…下底部（開放端）、  ５４…通気孔、  ５５…装着手段
５Ｖ…飲料容器
【図１Ａ】
2011072443.tif 000003
【図１Ｂ】
2011072443.tif 000004
【図２】
2011072443.tif 000005
【図３】
2011072443.tif 000006
【図４】
2011072443.tif 000007
【図５】
2011072443.tif 000008
【図６】
2011072443.tif 000009
【図７】
2011072443.tif 000010
【図８】
2011072443.tif 000011
【図９】
2011072443.tif 000012
【図１０】
2011072443.tif 000013